(57)【要約】      （修正有）【課題】バックアップ電源として装着された電池を使用する場合に、トラップ部が下位置で不動作状態になることを回避できる便器装置を提供する。【解決手段】トラップ部は、停電時に、バックアップ電源として着脱自在に装着された電池より通電を受けて駆動される構成とされ、制御部は、電池からの通電を受けて、電池の劣化判断をする動作を行い、電池の劣化の度合いに応じたトラップ部の貯水位置側への移動動作をさせるように制御する。【選択図】図１
2015025236.tif 000002
【特許請求の範囲】
【請求項１】
ボウル部の排水口から延びる排水路に配設され、自由端を上下に回動自在としたトラップ部と、該トラップ部を制御する制御部とを備えて、前記トラップ部の自由端を貯水位置側と排水位置側とに自在に移動させる構成とした便器装置であって、
前記トラップ部は、停電時に、バックアップ電源として着脱自在に装着された電池より通電を受けて駆動される構成とされ、
前記制御部は、前記電池からの通電を受けて、前記電池の劣化判断をする動作を行い、前記電池の劣化の度合いに応じた前記トラップ部の貯水位置側への移動動作をさせるように制御することを特徴とする便器装置。
【請求項２】
請求項１において、
前記制御部は、前記電池からの通電を受けて、前記トラップ部の排水位置側への移動動作を開始させ、該排水位置側への移動動作において前記電池の劣化判断を行う動作となっている、便器装置。
【請求項３】
請求項２において、
前記電池による通電を開始するための停電スイッチをさらに備えた構成とされ、
前記制御部は、前記停電スイッチが操作されたときに、前記トラップ部の排水位置側への移動、排水位置側での一定時間の保持、貯水位置側への移動の一連の動作の制御および前記電池の前記劣化判断を行う動作となっている、便器装置。
【請求項４】
請求項３において、
前記電池の電圧が所定の電圧閾値を下回ったことを検知する低電圧検知部をさらに備えた構成とされ、
前記制御部は、前記トラップ部の前記排水位置側への移動動作が開始された時から前記低電圧検知部が低電圧を検知するまでの経過時間が所定の時間閾値よりも小さいときに劣化大と判定して、前記トラップ部の前記排水位置側への移動動作を中断し、前記トラップ部を貯水位置側に移動させる一方、前記経過時間が所定の時間閾値以上であるときに劣化小と判定して、前記一連の動作を継続させる動作となっている、便器装置。
【請求項５】
請求項３において、
前記電池の電圧が所定の電圧閾値を下回ったことを検知する低電圧検知部をさらに備えた構成とされ、
前記制御部は、前記一連の動作の開始後に前記低電圧検知部が低電圧を検知したときに劣化ありと判定して、前記一連の動作を中断し、前記トラップ部を貯水位置側に移動させる一方、劣化なしと判定したときには、前記一連の動作を継続させる動作となっている、便器装置。
【発明の詳細な説明】
【技術分野】
【０００１】
本願発明は、上（貯水位置側）、下（排水位置側）に回動自在としたトラップ部を有した便器装置に関する。
【背景技術】
【０００２】
この種の便器装置では、トラップ部の駆動電源として、一般に、１００Ｖ交流電源が用いられている。そのため、停電などでトラップ部が動作しない事態を回避するために、充電池をバックアップ電源として用いた装置が提案されている（たとえば、特許文献１参照）。
【０００３】
特許文献１のものは、水流発生ごとに装置に内蔵された水力発電機で発電された電力を充電池に充電する構成となっている。したがって、停電時には十分に充電された充電池によりトラップ部を正常に動作させることができる。
【先行技術文献】
【特許文献】
【０００４】
【特許文献１】特開２００５−８３０８５号公報
【発明の概要】
【発明が解決しようとする課題】
【０００５】
ところで、トラップ部駆動用のバックアップ電源として、利用者が手軽に利用できる、乾電池などの着脱自在な電池を用いることが想定できる。この種の着脱自在な電池を用いた構成では構造も簡易となるため、便器装置を安価に提供することができる。
【０００６】
しかしながら、トラップ部の動作はモータの駆動を伴うものであるため、電池の劣化の度合いによってはほとんど動作しないおそれもある。よって、トラップ部を停電時に動作させようとしたときに、トラップ部が排水位置側で停止したままとなる（下向きのまま不動作状態になる）おそれがあり、その結果、封水切れが発生してしまう。
【０００７】
本発明は、このような事情を考慮して提案されたもので、バックアップ電源として装着された電池を使用する場合に、トラップ部が下位置（排水位置側）で不動作状態になることを回避できる便器装置を提供することにある。
【課題を解決するための手段】
【０００８】
上記目的を達成するために、本発明の便器装置は、ボウル部の排水口から延びる排水路に配設され、自由端を上下に回動自在としたトラップ部と、該トラップ部を制御する制御部とを備えて、トラップ部の自由端を貯水位置側と排水位置側とに自在に移動させる構成とした便器装置であって、トラップ部は、停電時に、バックアップ電源として着脱自在に装着された電池より通電を受けて駆動される構成とされ、制御部は、電池からの通電を受けて、電池の劣化判断をする動作を行い、電池の劣化の度合いに応じたトラップ部の貯水位置側への移動動作をさせるように制御することを特徴とする。
【０００９】
本発明においては、制御部は、電池からの通電を受けて、トラップ部の排水位置側への移動動作を開始させ、該排水位置側への移動動作において電池の劣化判断を行う動作構成としてもよい。
【００１０】
本発明においては、電池による通電を開始するための停電スイッチをさらに備えた構成としてもよく、制御部は、停電スイッチが操作されたときに、トラップ部の排水位置側への移動、排水位置側での一定時間の保持、貯水位置側への移動の一連の動作の制御および前記電池の前記劣化判断を行う動作構成としてもよい。
【００１１】
本発明においては、電池の電圧が所定の電圧閾値を下回ったことを検知する低電圧検知部をさらに備えた構成としてもよく、制御部は、トラップ部の前記排水位置側への移動動作が開始された時から低電圧検知部が低電圧を検知するまでの経過時間が所定の時間閾値よりも小さいときに劣化大と判定して、トラップ部の排水位置側への移動動作を中断し、トラップ部を貯水位置側に移動させる一方、前記経過時間が所定の時間閾値以上であるときに劣化小と判定して、一連の動作を継続させる動作構成としてもよい。
【００１２】
本発明においては、電池の電圧が所定の電圧閾値を下回ったことを検知する低電圧検知部をさらに備えた構成としてもよく、制御部は、一連の動作の開始後に低電圧検知部が低電圧を検知したときに劣化ありと判定して、一連の動作を中断し、トラップ部を貯水位置側に移動させる一方、劣化なしと判定したときには、前記一連の動作を継続させる動作構成としてもよい。
【発明の効果】
【００１３】
本発明の便器装置によれば、上述の構成となっているため、バックアップ電源として装着された電池を使用する場合に、トラップ部が排水位置側で不動作状態になることを回避することができる。
【図面の簡単な説明】
【００１４】
【図１】本発明の一実施形態に係る便器装置の基本動作を示すフローチャートである。
【図２】便器装置の要部ブロック図である。
【図３】便器装置の動作説明図であり、（ａ）はトラップ部が貯水位置側にあるときの縦断面図、（ｂ）はトラップ部が排水位置側にあるときの縦断面図である。
【図４】便器装置の詳細動作の一例を示すフローチャートである。
【図５】（ａ）、（ｂ）は、劣化判断において判定された劣化小、大に対応した電圧低下の例を示したグラフである。
【図６】（ａ）〜（ｃ）は、停電時において電池が正常または劣化小と判定されたときのトラップ部の動作（一連の動作）を説明するための模式縦断面図である。
【図７】（ａ）〜（ｃ）は、停電時において電池が劣化大と判定されたときのトラップ部の動作を説明するための模式縦断面図である。
【図８】本発明の他の実施形態に係る便器装置の基本動作を示すフローチャートである。
【発明を実施するための形態】
【００１５】
以下に、本発明の実施の形態について、添付図面を参照して説明する。
図１〜図７は、本発明の一実施形態に係る便器装置の説明図である。
【００１６】
本便器装置１は、ボウル部１０の排水口１１から延びる排水路２に配設され、自由端２１を上下に回動自在としたトラップ部２０と、トラップ部２０を制御する制御部３０とを備えている。便器装置１は、そのトラップ部２０の自由端２１を、貯水位置側と排水位置側とに自在に移動させる構成とした装置である（図２、図３参照）。
【００１７】
本便器装置１は、おもに次のような特徴を有する。
トラップ部２０は、停電時にバックアップ電源として着脱自在に装着された電池３１より通電を受けて駆動される構成とされている（図１、図２参照）。
制御部３０は、電池３１からの通電を受けて、電池３１の劣化判断をする動作を行い、電池３１の劣化の度合いに応じたトラップ部２０の貯水位置側への移動動作をさせるように制御する（図１〜図３参照）。
【００１８】
なお、図１に示したトラップ部２０の動作は、劣化なし（正常）、劣化小、劣化大の３つの度合いに応じたものであるが、劣化なし、ありの２つの度合いに応じて動作するものでもよい。後者については、図８にて後述する。
【００１９】
以下、本便器装置１の全体構成および特徴について詳細に説明する。
本便器装置１は洋風便器装置である。この便器装置１には、図３（ａ）、（ｂ）の縦断面図に示すように、上方が開口したボウル部１０が備えてあり、その後方空間には収納空所部１２が設けてある。この収納空所部１２内にはケース本体１３が内装してある。
【００２０】
ケース本体１３のボウル部１０側の側壁には取付孔１３ａが設けてあり、その取付孔１３ａに、後端部の自由端２１が上下に反転し得るトラップ部２０が取り付けてある。トラップ部２０の大部分はケース本体１３内に配置され、一方、トラップ部２０の前端部の接続部２２がケース本体１３から突出している。この接続部２２をボウル部１０の後端部に形成した排水口１１にはめ込んで接続してある。
【００２１】
トラップ部２０は、軟質の材料で蛇腹筒状に形成されている。図３（ａ）、（ｂ）に示すように、ケース本体１３内では、トラップ部２０は、駆動手段（ターントラップモータ３２）（図２参照）により回動体２３が動作して、自由端２１とした後端部が上下方向に反転自在に回動されるようになっている。
【００２２】
回動体２３は、ケース本体１３の外部に配設したターントラップモータ３２（以下、モータ３２という）により駆動されたときにトラップ部２０の自由端２１が回動するように、トラップ部２０の後端部に連結してある。つまり、モータ３２を一方向に回転するとトラップ部２０の自由端２１が下向きとなるように下位置に回動する一方、逆方向に回転するとトラップ部２０の自由端２１が上向きとなるように上位置に回動する。
【００２３】
このトラップ部２０は、上下動作をすると、ターントラップ位置センサ３６（図２参照。以下、位置センサ３６という）により、それぞれの位置（上位置：貯水位置側、下位置：排水位置側）が検知され、それらの位置で停止するように制御される。上位置はボウル部１０内に水が封水状態に貯水される位置である一方、下位置はボウル部１０内の水が排出される位置である。
【００２４】
ケース本体１３の下部には排出孔１３ｂが設けてあり、排出孔１３ｂに外部排水管（不図示）が接続されるようになっている。つまり、ボウル部１０の排水口１１、トラップ部２０、外部排水管により排水路２が形成されている。
【００２５】
ケース本体１３の上部には、ボウル部１０に給水するための給水路３４が配設してある。この給水路３４は、先端部がボウル部１０の上端開口縁部に形成された通水用のリム部３５に連通し、他端部が水道管（不図示）に接続されるものである。給水路３４の途中には給水路３４を開閉するための給水電磁弁よりなる給水手段３３が設けてある。
【００２６】
なお、不図示であるが、本便器装置１には、便座、便蓋が回動自在に取り付けてある。これらは、便座・便蓋開閉駆動手段（不図示）により自動的に回動されるようにしたものとしてもよい。
【００２７】
トラップ部２０は、通常の排水においては、自由端２１が洗浄スイッチ３７の操作により上下動作をする。以下、給水手段３３によるボウル部１０への給水を伴う洗浄動作について説明する。
【００２８】
初期状態では、トラップ部２０の自由端２１は、図３（ａ）のように上向きとなっている。つまり、トラップ部２０の自由端２１は上位置（貯水位置側）にある。このようにトラップ部２０の自由端２１が上位置にあるときには、ボウル部１０内およびトラップ部２０内は水が溜まって封水状態となっている。
この状態で用便がなされ、用便が済んだ後、洗浄スイッチ３７が操作されると、制御部３０の指令により、次の動作が実行される。
【００２９】
まず、給水手段３３がオンとなってボウル部１０への給水が開始され、モータ３２が駆動されてトラップ部２０の自由端２１が下方に回動して下位置（排水位置側）で停止し、汚水が排出される（図３（ｂ）参照）。
トラップ部２０の自由端２１は、排水位置側で一定時間保持される。この間に汚水が外部排水管へと流される。
一定時間経過後、モータ３２が駆動されてトラップ部２０の自由端２１が上方に回動し、貯水位置側で停止する。
トラップ部２０の貯水位置側での停止後、一定時間経過後に給水手段３３がオフされて、ボウル部１０内に一定量の水が貯水され、封水状態となる（図３（ａ）参照）。
【００３０】
このような洗浄動作は、洗浄スイッチ３７が操作されたときに、電源部３８（図２参照）からの通電を受けた制御部３０、モータ３２、給水手段３３などが駆動されることによりなされる。
この制御部３０は、ＣＰＵ等で構成され、タイマーを有し、洗浄スイッチ３７操作などの種々のタイミングで各部が動作するように指令を出力する動作構成となっている。
【００３１】
本実施形態に係る便器装置１には、電源部３８からの通電が停電などにより遮断されたときのために、バックアップ電源が設けてある。バックアップ電源は、着脱自在に装着された電池３１により構成されている。
【００３２】
このバックアップ電源は、給水手段３３、モータ３２、位置センサ３６、ブザーやランプで構成された報知部３９および制御部３０に通電するように接続されている。バックアップ電源には、停電スイッチ４０が接続されており、スイッチ検知部４２がスイッチ操作を検知して、停電スイッチ４０が操作されたことが制御部３０へ伝えられる。
また、バックアップ電源には、停電スイッチ４０が操作されたときに、電池電圧が所定の電圧閾値Ｖ１（図５（ａ）、（ｂ）参照）を下回ったことを検知する低電圧検知部４１（低電圧検知ＩＣ）が接続されている。
【００３３】
停電スイッチ４０は、トラップ部２０に所定の一連の動作をさせるための操作スイッチである。本実施形態では、停電スイッチ４０が操作されたことが検知されて、制御部３０が電池３１の劣化判断を行い、さらに電池３１の劣化（消耗）度合いに応じた動作をするようになっている。
【００３４】
一連の動作とは、停電時のリセット動作であり、トラップ部２０が正常に動作するかどうかを利用者が判断するための動作である。一連の動作は、トラップ部２０の自由端２１が、まず排水位置側へ移動し、その排水位置側で一定時間、状態を保持し、ついで元の位置である貯水位置側へ移動する動作である（図６（ａ）〜（ｃ）参照）。
この一連の動作における最初の動作である、トラップ部２０の排水位置側への移動によって、ボウル部１０に溜まった汚水が排出される。
【００３５】
なお、一連の動作は給水を伴わせるようにしたものでもよい。その場合は、停電スイッチ４０の操作だけでボウル部１０を封水状態にすることができる。その後は、通常の洗浄スイッチ３７によるボウル部１０の洗浄動作を実行できるようになる。
【００３６】
本例では、この一連の動作におけるトラップ部２０の排水位置側へ移動において、電池３１の劣化判断をする動作が行われる。そして、劣化の度合いによっては、一連の動作が中途で停止されるが、劣化の度合いに関係なく、最終的には、トラップ部２０は貯水位置側へ移動するように動作する。
【００３７】
以下、停電スイッチ４０の操作がされたときの基本動作について、図１、図４のフローチャート、図２のブロック図、図５（ａ）、（ｂ）のグラフおよび図６、図７の模式縦断面図を参照しながら説明する。
【００３８】
図５（ａ）、（ｂ）のグラフは、トラップ部２０の排水位置側へ移動動作における低電圧検知部４１による低電圧検知の２例を示すものである。これらのグラフにおいて、Ｖ１は電圧低下を検知するための電圧閾値、Ｖ２はモータ３２の動作電圧の下限値である。また、Ｔ１は劣化の大小を判定するための時間閾値、Ｔ２はトラップ部２０の排水位置側への移動動作が開始された時から電圧低下が検知されるまでの経過時間である。
【００３９】
まず、図１にもとづいて概略動作を説明する。
停電になったときには、停電待機モードとなる（図１の１０１）。このモードでは、電池３１がバックアップ電源として装着されていても各部への通電がなされておらず、洗浄スイッチ３７を操作しても洗浄動作は実行されない。
なお、本便器装置１では、停電をゼロクロス回路（不図示）を用いて検知できるようになっている。
【００４０】
この停電待機モードにおいて停電スイッチ４０が操作されると、バックアップ電源として電池３１が装着されていれば、その操作をトリガーとして各部に通電がなされ、停電モード（利用可能な状態）となったことが報知される（図１の１０１〜１０３）。
ついで、制御部３０の指令によりトラップ部２０の一連の動作（図６参照）が開始される（図１の１０４）。
【００４１】
そして、一連の動作のうちの最初の動作であるトラップ部２０の排水位置側への移動（図６（ａ）参照）において、低電圧検知部４１の低電圧検知の有無により電池３１の劣化が判断される。
具体的には、移動動作が開始された時から低電圧検知までの経過時間Ｔ２が所定の時間閾値Ｔ１よりも小さいときに劣化大と判定され、経過時間Ｔ２が所定の時間閾値Ｔ１以上のときに劣化小と判定される（図１の１０４、１０５、１０８、図５（ａ）、（ｂ）参照）。
【００４２】
劣化大のときは、その旨が報知され、トラップ部２０は即、上位置に移動するように制御される（図１の１０８、１０９、１１０）。つまり、劣化大と判定されれば、図７（ａ）〜（ｃ）に示すように、トラップ部２０の自由端２１の下位置への移動は停止し、すぐに上位置に移動する。
劣化小のときは、その旨が報知され、トラップ部２０は一連の動作（図６参照）を継続するように制御される（図１の１０８、１１１、１１２）。
【００４３】
また、所定の時間内での低電圧検知がなかった場合は、電池３１は正常であると判定され、トラップ部２０は一連の動作を継続するように制御される（図１の１０５、１０６）。
【００４４】
こうして、トラップ部２０は、劣化の度合いに応じた種々の動作をするが、最終的には貯水位置側へ移動し停止する（図１の１０７）。また、動作完了にて、停電スイッチ４０の再操作も可能となる（図１の１０７）。
【００４５】
このように、停電の際に停電スイッチ４０が操作されたときに電池３１が劣化している場合でも、その程度を判断して、トラップ部２０が貯水位置側へ移動するようになっているので、トラップ部２０が排水位置側で不動作状態となることを回避することができる。
トラップ部２０が貯水位置側に戻るので、その後、手動で給水して封水状態を形成すればよい。
【００４６】
また、劣化が小である場合は、制御部３０がトラップ部２０に一連の動作をさせているので、停電となった時のボウル部２０内の状態にかかわらず汚水を外部に排水することができる。そのような場合でも劣化小であることが報知されるので、利用者はすぐに、新しい電池３１を取り替えることができる。
もちろん、電池３１の劣化がないと判定された場合も、トラップ部２０は一連の動作を実行するため、汚水を外部に排出することができる。
【００４７】
ついで、動作の具体例について、図４〜図７を参照しながら、停電スイッチ４０が操作されて停電モードになって（図４の２０１〜２０３）からの動作（図４の２０４〜２２３）について説明する。
【００４８】
制御部３０は、一連の動作が開始された時にタイマーを起動し、タイムアップで低電圧検知部４１より電圧が電圧閾値を下回ったこと（低電圧の検知）の有無を入力する（図４の２０４〜２０７）。
このタイマーの設定時間は、電圧の劣化判定を行うための時間閾値Ｔ１であり、本例では、トラップ部２０の貯水位置側から排水位置側まで移動するのに必要な時間が設定されている。
【００４９】
ステップ２０７において低電圧が検知されない場合は、次に下位置に移動完了したかどうかを、位置センサ３６の入力により検知する（図４の２０７、２０８）。下位置に到達していれば、正常であると判断され、トラップ部２０はタイマーの起動により所定時間保持され、その後、上位置への移動を開始する（図４の２０９、２１０）。
【００５０】
そして、タイマー後に上位置に移動完了すれば、正常な一連の動作が終了し、停電スイッチ４０の操作の待ち状態に戻る（図４の２１１、２１３）。その後、ボウル部１０に手動で貯水すれば封水状態を保持できる。
また、上位置への動作が所定時間内に完了しない場合は、エラーを報知する（図４の２１３）。
【００５１】
また、ステップ２０７において低電圧が検知されず、かつ下位置に到達していない場合は（図４の２０８のＮ）、所定時間、トラップ部２０が下位置に到達するまで待つ（図４の２１４〜２１６）。トラップ部２０が下位置に到達したときに、その位置で一定時間保持され、その後、上位置までの正常動作を実行する（図４の２１６、２０９、２１０）。
なお、ステップ２１６においてトラップ部２０が下位置に移動したときには、さらに低電圧検知を判断するようにしてもよい。
ステップ２１６においてトラップ部２０が下位置に移動しなかったときには、エラーを報知する。
【００５２】
一方、ステップ２０７において低電圧が検知されたときは、劣化ありと判断される（図４の２０７のＹ）。
ついで、位置センサ３６の入力により、トラップ部２０が下位置に到達したかどうかが判断される（図４の２１７）。到達していると判断されれば、トラップ部２０の下位置への移動動作が開始された時から低電圧を検知するまでの経過時間Ｔ２が時間閾値以上であると判断される（図４の２１７のＹ）。
つまり、電池３１の劣化がトラップ部２０が下位置へ移動するのに問題のないレベルと判断されて、劣化小が報知され、トラップ部２０が下位置で所定時間保持され、その後、トラップ部２０の上位置への移動が開始される（図４の２２１〜２２３）。
【００５３】
この劣化小の例としては、たとえば図５（ａ）に示したグラフの電圧遷移の場合が挙げられる。この例は、図５（ａ）に示したように、時間閾値Ｔ１を越えてから、電池３１の電圧が電圧閾値Ｖ１を下回っている。
【００５４】
また、ステップ２１７においてトラップ部２０が下位置に到達していなければ、トラップ部２０の排水位置側への移動動作が開始された時から低電圧を検知するまでの経過時間Ｔ２が時間閾値Ｔ１よりも小さいと判断される（図４の２１７のＮ）。
つまり、電池３１の劣化がトラップ部２０の移動に支障があるレベルと判断して、劣化大が報知され、トラップ部２０の移動が即停止され、トラップ部２０の上位置への移動が開始される（図４の２１８〜２２０）。
【００５５】
この劣化大の例としては、たとえば図５（ｂ）に示したグラフの電圧遷移の場合が挙げられる。つまり、この場合は、図５（ｂ）に示したように、時間閾値Ｔ１に達する前に、電圧が電圧閾値Ｖ１を下回っている。
【００５６】
劣化大、小いずれの場合も、トラップ部２０の上移動の動作完了を待ち、完了後、停電スイッチ４０の操作の待ち状態となる（図４の２１１〜２１３）。上位置への動作が所定時間内に完了しない場合は、エラーを報知する（図４の２１３のＮ）。
【００５７】
以上のように、本便器装置１は、停電スイッチ４０が操作されたときには、トラップ部２０が一連の動作を開始して、その動作のうちの最初の動作である排水位置側への移動において低電圧検知により電池３１の劣化の度合いを判定するようになっている。
【００５８】
そして、本便器装置１では、劣化の度合いに応じたトラップ部２０の貯水位置側への移動動作が異なる態様でなされているので、電池３１の消耗の程度が大きい場合には、無理な動作がされることはない。よって、トラップ部２０が下位置で不動作状態になることを回避することができる。
【００５９】
しかも、停電スイッチ４０さえ操作すれば電池３１の劣化を判定できるので、劣化ありと判定された場合にすぐに電池３１を交換することができ、その後のバックアップ電源による洗浄動作を正常に実行させることができる。
【００６０】
また、本実施形態の便器装置１は、電池３１による通電を開始するための停電スイッチ４０の操作で劣化の大小を判断する構成であるため、停電になったときにタイミングよく電池３１の劣化を判断することができる。
【００６１】
なお、他のスイッチ操作で、トラップ部２０の排水位置側への移動動作に伴う劣化判断処理、およびトラップ部２０の貯水位置側への移動動作を実行するようにしてもよい。また、電池３１が常時装着されているものでは、定時タイミング（たとえば週に１回）でトラップ部２０の排水位置側への移動動作に伴う劣化判断動作およびトラップ部２０の貯水位置側への移動動作を実行してもよい。
【００６２】
以上に示した実施形態では、劣化なし（正常）、劣化小、劣化大の３つの度合いに応じてトラップ部２０が動作する例を示したが、劣化なし、ありの２つの度合いに応じてトラップ部が動作するようにしてもよい。
【００６３】
図８は、劣化なし、ありの２つの度合いに応じてトラップ部２０が動作する便器装置１の基本動作を示すフローチャートである。なお、ブロック図、縦断面図については、図２、図３と同様であるため、図示を省略する。
図８は、本便器装置１の基本動作を示したもので、図１に対応したものである。以下、詳説する。
【００６４】
停電になったときには、停電待機モードとなる（図８の３０１）。このモードでは各部への通電がなされておらず、洗浄スイッチ３７を操作しても洗浄動作は実行されない。
このモードで停電スイッチ４０が操作されると、バックアップ電源として電池３１が装着されていれば、各部に通電がなされ、停電モード（利用可能な状態）となったことが報知される（図８の３０１〜３０３）。
ついで、制御部３０の指令によりトラップ部２０の一連の動作が開始される（図８の３０４）。
【００６５】
そして、トラップ部２０の排水位置側への移動において、低電圧検知部４１の低電圧検知の有無により劣化が判断される。具体的には、移動動作が開始された時から所定時間内に低電圧が検知されれば劣化ありと判定され、低電圧が検知されなければ劣化なしと判定される（図８の３０４、３０５）。
【００６６】
劣化ありのときは、その旨が報知され、トラップ部２０は即、上位置に移動するように制御される（図８の３０５、３０８、３０９）。
劣化なしのときは、正常と判断されるため、トラップ部２０は一連の動作を継続するように制御される（図３０５、３０６）。
【００６７】
こうして、トラップ部２０は、劣化の度合いによって異なる動作をするが、いずれの場合も最終的には貯水位置側へ移動し停止する。
【００６８】
このように、本便器装置１は、劣化の度合いを劣化なし、ありの２通りに判定するように構成されているため、図５（ａ）、（ｂ）のグラフに示した２例のいずれについても、劣化ありと判定される。
【００６９】
本便器装置１は、停電時に停電スイッチ４０が操作されたときに、電池３１が劣化している場合でも、その程度を判断して、トラップ部２０が貯水位置側へ移動するようになっているので、トラップ部２０が排水位置側で不動作状態となることを回避できる。
【００７０】
以上に示した便器装置１は、電池３１の劣化は電池３１の電圧低下で判断する構成となっているが、端子間電圧、電池電流、電池３１の内部損失、モータ３２駆動時のトラップ部２０の自由端２１の変化（速度）を監視することで判断する構成としてもよい。
【符号の説明】
【００７１】
１        便器装置
２        排水路
１０      ボウル部
１１      排水口
２０      トラップ部
２１      自由端
３０      制御部
３１      電池
３２      ターントラップモータ（モータ、駆動手段）
３３      給水手段
３６      ターントラップ位置センサ（位置センサ）
３９      報知部
４０      停電スイッチ
４１      低電圧検知部
Ｖ１      電圧閾値
Ｔ１      時間閾値
【図１】
2015025236.tif 000003
【図２】
2015025236.tif 000004
【図３】
2015025236.tif 000005
【図４】
2015025236.tif 000006
【図５】
2015025236.tif 000007
【図６】
2015025236.tif 000008
【図７】
2015025236.tif 000009
【図８】
2015025236.tif 000010